(57)【要約】      （修正有）【課題】２倍程度のズーム比を有し、広角端における半画角が５５°以上の超広角を有し、全ズーム領域にわたり高い光学性能を達成可能な、小型で、レンズ枚数が少なく、かつ全長が短かい、携帯性に優れたズームレンズを提供する。【解決手段】物体側より負、正、負、正の４群からなり、各群の空気間隔を変化させる事により変倍を行ない、広角端から望遠端へのズーミング中、第１群Ｌ１と第２群Ｌ２の間隔は減少し、第３群Ｌ３と第４群Ｌ４の間隔は変化する。前記第１群Ｌ１は負レンズ３枚を含む４枚のレンズで構成され、以下の条件式を満足する。−１．１＜ｆ１／ｆ２＜−０．７（１）、２．５＜ｆ４／（ｆｗ×ｔanωW）＜３．５（２）、ただし、ｆｗ：広角端における前系の焦点距離、ｆｔ：望遠端における前系の焦点距離、ｆ１：第１群の焦点距離、ｆ２：第２群の焦点距離、ｆ4：第４群の焦点距離、ωW：広角端における半画角（度）【選択図】図１
2015034892.tif 000002
【特許請求の範囲】
【請求項１】
A、物体側より負、正、負、正の4群からなり、各群の空気間隔を変化させる事により変倍を行うズームレンズ系において、 
B,広角端から望遠端へのズーミング中第1群と第2群の間隔は減少し、第3群と第4群の間隔は変化する。 
C,前記第1群は負レンズ3枚を含む4枚のレンズで構成されると共に以下の条件式を満足する事を特徴とするズームレンズ。 
−１．１＜ｆ１／ｆ２＜−０．７             ・・・（１）
２．５＜ｆ４／（ｆｗ×ｔanωW）＜３．５     ・・・（２）
ｆｗ：広角端における前系の焦点距離
ｆｔ：望遠端における前系の焦点距離
ｆ１：第1群の焦点距離
ｆ２：第2群の焦点距離
ｆ4：第4群の焦点距離
ωW：広角端における半画角（度）
【請求項２】
A,前記レンズ系において以下の条件式を満足する第１項に記載のズームレンズ。 
−１．８＜ｆ１／ （ｆｗ×ｔanωW） ＜−１．２       ・・・（３）
−１．３＜ｄ１Ｗ／ｆ１＜−０．９                   ・・・（４）
ｄ１ｗ：広角端における第１群、第２群の空気間隔
【請求項３】
A,前記レンズ系において前記第１群は物体側より負、負、負、正の４枚にて構成されると共に、 
B,以下の条件式を満足する請求項１又は請求項２に記載のズームレンズ。 
１．８＜Ｒ３２／ｆＷ＜２．５      ・・・（５）
Ｒ３２：第１群中３枚目の負レンズの像側曲率半径 
【請求項４】
A、前記レンズ系において前記第3群は負の単レンズにて構成されると共に、該第3群を像側へ繰り込む事により フォーカシングを行うと共に、
B、以下の条件式を満足する特徴とする請求項１乃至請求項３の何れか１項に記載のズームレンズ。 
０．１５＜ｆ１／ｆ３＜０．３５       ・・・（６）
ｆ3：第3群の焦点距離    
【請求項５】
前記レンズ系において、広角端から望遠端へのズーミング中、前記第2群と第3群の間隔は微小間隔変化し、前記第3群と第4群の間隔は増大する事を特徴とする請求項１乃至請求項４の何れか１項に記載のズームレンズ。
【発明の詳細な説明】
【技術分野】
【０００１】
本発明は、レンズ交換式デジタルスチルカメラ等に好適な小型で超広画角のズームレンズに関し、特に所定の変倍比を確保すると共に、レンズ全長の短縮化を図った携帯性
に優れたズームレンズに関するものである。
【背景技術】
【０００２】
近年、固体撮像素子を用いたデジタルスチルカメラ、等の撮像装置においては、高機能化とともに装置全体の小型化がなされている。また近年レンズ交換式のデジタルカメラにおいては、光学ファインダーの廃止に伴い交換レンズのフランジバックを短くしたクイックリターンミラーを有さないデジタルカメラのジャンルが出現している。そしてそれに伴って、これらに用いる広角系の撮影光学系としては、レンズ全長が短くコンパクトでしかも高性能のズームレンズが要求されている。
【０００３】
広角端において超広角の画角を有するズームレンズとして物体側より像側へ順に、負、正、正、負、正の屈折力のレンズ群より成り、各レンズ群を移動させてズーミングを行う５群ズームレンズにおいて第１群が５枚にて構成された、半画角が５５度以上の超広角を有し２倍程度の変倍比を有するズームレンズが知られている（特許文献１）。
【０００４】
又コンパクトで比較的半画角が５０度程度の広画角を有し物体側より負、正、負、正の屈折力のレンズ群より成り各レンズ群を移動させてズーミングを行う４群ズームレンズにおいて第１群が４枚にて構成された２倍程度の変倍比を有するズームレンズが知られている（特許文献２）。
【先行技術文献】
【特許文献】
【０００５】
【特許文献１】特開２０１０−１７６０９６号公報
【特許文献２】特開２００２−２４４０４４号公報
【発明の概要】
【発明が解決しようとする課題】
【０００６】
近年レンズ交換式のデジタルカメラにおいては、光学ファインダーの廃止に伴い交換レンズのフランジバックを短くしたクイックリターンミラーを有さないデジタルカメラのジャンルが出現している。これらのジャンルの広角レンズにおいては従来の超広角ズームより更に広画角を有しレンズ全長、前玉径の小型化を図り２倍程度の変倍比を有する超広角ズームレンズが期待されている。
【０００７】
特許文献１においては半画角が５５度以上の超広角を有し２倍程度の変倍比を有するズームレンズが開示されている。しかしながら負、正、正、負、正の５群を有している為、各レンズ群に所望の移動をさせる為のメカ機構が複雑になり、又１群を５枚のレンズで構成した為前玉径が大きく又レンズ全長も長い為、携帯性の面では満足ではなかった。
【０００８】
特許文献２においては５０度程度の広画角を有し物体側より負、正、負、正の４群からなる１群が４枚構成のレンズ全長、前玉径の小型化を図った広角ズームレンズが開示されている。しかしながら同様の屈折力配置において本件所望の５５度以上の超広角に対応しようとするとレンズ系全体が大型化するという問題があった。
【０００９】
一般に、ズームレンズを構成する各レンズ群のレンズ枚数が多いと、各レンズ群の光軸上の長さが長くなる。又、各レンズ群のズーミング及びフォーカシングにおける移動量が大きいとレンズ全長が長くなる。
【００１０】
前述した撮像装置に用いる交換式ズームレンズでは、レンズ系全体の小型化を図って且つ所定の画角、ズーム比を有しつつ、全ズーム範囲にわたり良好なる光学性能を有していることが重要である。
【００１１】
このためには、ズーミングに伴う各レンズ群の移動条件や各レンズ群の屈折力、各レンズ群のレンズ構成等を適切に設定する必要がある。例えばズームレンズの小型化に関しては、各レンズ群の屈折力を強めればズーミングにおける各レンズ群の移動量が少なくなり、レンズ全長の短縮化が可能となる。
【００１２】
しかしながら、各レンズ群の屈折力を単に強めるとズーミングに伴う収差変動が大きくなり、これを良好に補正するのが難しくなってくる。
【００１３】
本発明は、レンズ構成が簡易でコンパクトでありながら２倍程度のズーム比を有し、広角端における半画角が５５°以上の超広角を有し、全ズーム領域にわたり高い光学性能を達成したにもかかわらず、前玉径の小型を図りレンズ枚数が少なくかつ全長を短縮する事により、携帯性に優れたズームレンズの提供を目的とする。
【課題を解決するための手段】
【００１４】
上記目的を達成するための構成は、
Ａ、物体側より負、正、負、正の４群からなり、各群の空気間隔を変化させる事により変倍を行うズームレンズ系において、
Ｂ，広角端から望遠端へのズーミング中第１群と第２群の間隔は減少し、第３群と第４群の間隔は変化する。
【００１５】
Ｃ，前記第１群は負レンズ３枚を含む４枚のレンズで構成されると共に以下の条件式を満足する事である。
【００１６】
−１．１＜ｆ１／ｆ２＜−０．７             ・・・（１）
２．５＜ｆ４／（ｆｗ×ｔanωW）＜３．５     ・・・（２）
ｆｗ：広角端における前系の焦点距離
ｆｔ：望遠端における前系の焦点距離
ｆ１：第1群の焦点距離
ｆ２：第2群の焦点距離
ｆ4：第4群の焦点距離
ωW：広角端における半画角（度）
更にＢｅｓｔ  ｍｏｄｅ近づける為の望ましい構成は以下の条件を満足する事である。
【００１７】
A,前記レンズ系において以下の条件式を満足する事。 
【００１８】
−１．８＜ｆ１／ （ｆｗ×ｔanωW） ＜−１．２       ・・・（３）
−１．３＜ｄ１Ｗ／ｆ１＜−０．９                   ・・・（４）
A,前記レンズ系において前記第１群は物体側より負、負、負、正の４枚にて構成されると共に、 
B,以下の条件式を満足する事。 
【００１９】
１．８＜Ｒ３２／ｆＷ＜２．５        ・・・（５）
Ｒ３２：第１群中３枚目の負レンズの像側曲率半径 
A、前記レンズ系において前記第3群は負の単レンズにて構成されると共に、該第3群を像側へ繰り込む事により フォーカシングを行うと共に、
B、以下の条件式を満足する事。 
【００２０】
０．１５＜ｆ１／ｆ３＜０．３５         ・・・（６）
ｆ3：第3群の焦点距離    
前記レンズ系において、広角端から望遠端へのズーミング中、前記第２群と第３群の間隔は微小間隔変化し、前記第３群と第４群の間隔は増大する事。
【発明の効果】
【００２１】
本発明によれば、前述の構成により従来の負、正、負、正の４群、レンズを更に改良し、各群の屈折力配置、各群のレンズ構成、非球面の位置、移動方法、硝材使用法を最適に配置し、レンズ枚数の削減を計り、レンズ全長の短縮化を達成したにもかかわらず、レンズ構成が簡易で２倍程度のズーム比を有し、広角端における半画角が５５°以上の超広角を有し、全ズーム領域にわたり高い光学性能を達成したにもかかわらず、前玉径の小型を図った、携帯性に優れたズームレンズの提供する事ができる。
【図面の簡単な説明】
【００２２】
【図１】実施例１レンズ断面図
【図２】実施例２レンズ断面図
【図３】実施例３レンズ断面図
【図４】実施例４レンズ断面図
【図５】実施例５レンズ断面図
【図６】実施例１縦収差図
【図７】実施例２縦収差図
【図８】実施例3縦収差図
【図９】実施例4縦収差図
【図１０】実施例5縦収差図
【発明を実施するための形態】
【００２３】
本発明においては、物体側より順に負の第１群Ｌ１、正の第２群Ｌ２、負の第３群Ｌ３、正の第４群Ｌ４よりなり、各群の空気間隔変化によって変倍を行うズームレンズにおいて、広角端より望遠端へのズーミングに際し、少なくとも第１〜３群が移動する。１，２群の空気間隔が減少し、２，３群の空気間隔  が変化し、第３、４群の空気間隔が増大する。
【００２４】
本発明の実施形態では、２倍程度の変倍比を有しつつ各レンズ群における構成を超広角、の所望の仕様を有しつつ良好な収差補正が行える範囲において最小のレンズ枚数としている。
【００２５】
前記第１群は物体側より物側凸のメニスカス上の負の１１レンズ、物側凸のメニスカス上の負の１２レンズ、像側が強い凹面の負の１３レンズ、物体側の曲率が強い凸面の正の１４レンズ、の計４枚のレンズにて構成される。
【００２６】
前記１１レンズ若しくは１２レンズに非球面を有し、広角域における歪曲収差を補正する。前記第２群は物体側より物体側の曲率が強い凸面の正の２１レンズ、像側が強い凹面の負の２２レンズと正の２３レンズを接合した接合レンズを有する。第２群全体として３〜４枚のレンズで構成され、絞りＳＰは第２群中若しくは第２群の物体側に配され、ズーミング中第２群と一体で移動する。
【００２７】
前記第３群は像側が凹面の負の単レンズにて構成する事によりフォ−カス群を軽量化し高速なフォーカス駆動を可能にしている。前記第４群は正レンズ２枚、負レンズ１枚を含む３枚のレンズにて構成されかつ１面の非球面を含む。
【００２８】
本発明においてはω５５°以上の超広画角を有しつつ前玉径の大型化を避けるための負群が先行する多群ズームタイプを採用している。簡易な構成で所望の２倍程度の変倍比を確保する為に負、正、負、正の４群タイプを採用しているが、静止画時のフォ−カス駆動の高速化や、動画時のウォブリングを考慮しフォーカス群である第３群を軽量化し単レンズで構成している関係で、第３群のパワーを緩く設定している為、第４群では変倍作用は期待出来ない。
【００２９】
そこで本発明の構成においては、第２群で主たる変倍を担い、第１群〜第３群
全体では正のＰｏｗｅｒを有する群構成としている。第２群を主変倍とする為、所望の変倍比を確保する為には広角端で第１群と第２群の空気間隔をある程度あける必要があり、この為前玉径の小型化の為には、第１群のレンズ枚数を削減すると共に、第２群に対する第１群の屈折力を適切に設定する必要がある。
【００３０】
すなわち第１群、第２群の各焦点距離は
−１．１＜ｆ１／ｆ２＜−０．７             ・・・（１）
ｆ１：第1群の焦点距離
ｆ２：第2群の焦点距離
を満たす様に設定すると良い。
【００３１】
又前述の通り前玉径の小型化の為には、第１群のレンズ枚数を極限まで削減したいが、前記（１）式を満足する程度に第１群のＰｏｗｅｒが強い状態を維持しつつ本件所望の超広角域の軸外収差を良好に補正する為には最低限４枚のレンズが必要な為、負レンズ３枚を含む４枚構成としている。
【００３２】
本発明においては、第１群〜第３群全体では正のＰｏｗｅｒを有する群構成としている為、レンズ全長の短縮の為には前記第４群の焦点距離を以下の如く適切に設定する必要がある。
【００３３】
２．５＜ｆ４／（ｆｗ×ｔanωW）＜３．５     ・・・（２）
ｆｗ：広角端における前系の焦点距離
ｆ4：第4群の焦点距離
ωW：広角端における半画角（度）
前記第４群のＰｏｗｅｒを適度に強くする事により全系として所望の焦点距離を維持しつつレンズ全長の短縮が可能となる。
【００３４】
以上（１）式（２）式と第１群のレンズ構成により超広角を含み所望の変倍比を有しつつコンパクトなレンズ系の提供が可能となる。
【００３５】
以上の２式で本発明の目的を達成する事ができるが、さらに望ましくは第１群中を構成のＰｏｗｅｒと画角、及び広角端における第１、第２群の空気間隔を以下の如く適切に設定する事が望ましい。
【００３６】
−１．８＜ｆ１／ （ｆｗ×ｔanωW） ＜−１．２       ・・・（３）
−１．３＜ｄ１Ｗ／ｆ１＜−０．９                   ・・・（４）
ｄ１ｗ：広角端における第１群、第２群の空気間隔
前述の如く本発明では第２群を主変倍とする為、所望の変倍比を確保する為には広角端で第１群と第２群の空気間隔をある程度あける必要があり、この為前玉径の小型化の為に第１群ｐｏｗｅｒを（３）式を満足する程度に強く設定すると共に（４）式を満足する程度の空気間隔を設定する事が望ましい。
【００３７】
以上で本発明の望ましいレンズ系は得る事が出来るが、更に前玉径の小型化を達成する為には第１群のレンズ構成を適切に設定する事が望ましい。すなわち第１群の主点位置を物体側へ飛ばす形状とする事により第１群を通過する軸外光束の光線高さを低くする事により前玉径を小さく維持する。
【００３８】
つまり前記第１群は物体側より負、負、負、正の４枚にて構成されると共に、該負レンズの像側面を強い凹面とする。特に第３凹レンズの像側の形状は以下の条件式を満足するように設定すると良い。
【００３９】
１．８＜Ｒ３２／ｆＷ＜２．５        ・・・（５）
Ｒ３２：第１群中３枚目の負レンズの像側曲率半径 
以上で本発明の望ましいレンズ系は得る事が出来るが、更にフォーカスの高速化の為には前記第３群は軽量化の為に負の単レンズにて構成されると共に、該第３群を像側へ繰り込む事によりフォーカシングを行う構成とするのが良い。
【００４０】
第３群を単レンズとするとフォ−カスによる像面湾曲の変動を補正する為に、第３群のＰｏｗｅｒを比較的緩く適切に設定する必要があり、前記第１群を第３群の焦点距離比は
０．１５＜ｆ１／ｆ３＜０．３５       ・・・（６）
ｆ3：第3群の焦点距離    
を満足する様にすると良い。
【００４１】
この様に第３群は比較的緩く第１群〜第３群の合成のＰｏｗｅｒは正となり第４群の変倍効果は期待出来ないので前系のズーミング中の収差変動を抑える為には、広角端から望遠端へのズーミング中、前記第２群と第３群の間隔は微小間隔変化し、前記第３群と第４群の間隔は増大する構成とし、第４群の移動は微小量とするか固定とする事が望ましい。
【００４２】
次に各条件式の意味について説明する。（１）式は第１群と第２群の焦点距離の比に関するもので、（１）式の上限値を超えて第１群の焦点距離が短くなりすぎると広角域における画面周辺部のコマフレアーを補正する事が困難となってくる。
【００４３】
（１）式の下限値を超えて第１群の焦点距離が長くなり過ぎると広角域における軸外光束が第１群を通る高さが高くなるため、前玉径が増大してくる。
【００４４】
（２）式は第４群の焦点距離を広角端における全系の焦点距離と広角端における画角のＴａｎの積で規格化したもので、（２）式の上限値を超えて第４群の焦点距離が長くなり過ぎると、レンズ全長が増大してくるので良くない。（２）式の下限値を超えて第４群の焦点距離が短くなり過ぎると、望遠域における歪曲収差の補正が困難となってくるので良くない。
【００４５】
（３）式は第１群の焦点距離を全系の焦点距離と広角端における画角のＴａｎの積で規格化したもので、（３）式の上限値を超えて第１群の焦点距離が短くなりすぎると広角域における画面周辺部のコマフレアーを補正する事が困難となってくる。
【００４６】
（４）式は広角端における第１群と第２群の空気間隔を第１群の焦点距離で規格化したもので、（４）式の上限値を超え第１群と第２群の空気間隔が小さくなり過ぎると所望の変倍比を得る為に各群のＰｏｗｅｒを強める必要が生じ広角域における軸外コマフレアー及び、望遠域における球面収差を補正する事が困難となってくる。（４）式の下限値を超えて第１群と第２群の空気間隔が大きくなり過ぎると軸外光束が第１群を通る高さが高くなるため、前玉径が増大してくる。
【００４７】
（５）式は第１群中３番目の負レンズの像側の像側曲率半径を広角端における全系の焦点距離で規格化したもので、（５）式の上限値を超えて１群中３番目の負レンズの像側の像側曲率半径が大きくなり過ぎると第１群の主点位置が所望値より像側となり前玉径が増大してくるので良くない。（５）式の下限値を超えて１群中３番目の負レンズの像側の像側曲率半径が小さくなり過ぎると広角域における軸外のコマフレアーが増大し収差補正が困難となってくるので良くない。
【００４８】
（６）式は第１群と第３群の焦点距離の比に関するもので、（６）式の上限値を超えて第３群の焦点距離が短くなり過ぎるとズーム全域においてフォーカス時の色収差の変動が大きくなり至近の光学性能が低下してくるので良くない。（６）式の下限値を超えて第３群の焦点距離が長くなり過ぎるとフォーカス時の移動量が増大し所望の至近距離を確保すると無限状態における第４群との空気間隔を空けなければならずレンズ系全体が大型化してくるので良くない。
【００４９】
本発明の目的をより最良に近づける為には以下の条件を満足すると更に良い。
−１．０＜ｆ１／ｆ２＜−０．８             ・・・（１）´
２．８＜ｆ４／（ｆｗ×ｔanωW）＜３．４     ・・・（２）´
−１．６＜ｆ１／ （ｆｗ×ｔanωW） ＜−１．２       ・・・（３）´
−１．２＜ｄ１Ｗ／ｆ１＜−１．０                   ・・・（４）´
１．９＜Ｒ３２／ｆＷ＜２．２        ・・・（５）´
０．１６＜ｆ１／ｆ３＜０．３０      ・・・（６）´
［数値実施例1］
単位 mm
面データ
面番号       r        d      nd         vd
1         52.236    2.27   1.80400    46.6           
2         22.643    5.08                             
3*        39.699    2.14   1.76802    49.2           
4*        11.651    8.96                             
5        565.221    1.32   1.49700    81.5           
6         20.184    0.33                             
7         20.337    5.80   1.80610    33.3           
8        156.960  (可変)                             
9*        19.789    2.50   1.85135    40.1           
10        161.265    2.38                             
11(絞り)    ∞       2.51                             
12      -1322.224    0.88   1.80610    33.3           
13          9.075    2.95   1.59282    68.6           
14        -45.568    1.50                             
15         -9.097    1.00   1.74400    44.8           
16        -10.342    0.20                             
17        145.222    3.00   1.48749    70.2           
18        -16.432  (可変)                             
19         41.382    1.01   1.60311    60.6           
20         21.057  (可変)                             
21         41.899    3.50   1.69680    55.5           
22         88.238    1.47                             
23       -207.607    1.20   1.80518    25.4           
24         82.361    5.50   1.55332    71.7           
25*       -25.235  (可変)                             
像面        ∞   
非球面データ
第3面
K = 1.73749e+000  A 4=-2.00471e-006  A 6=-2.73232e-008  A 8= 4.05418e-011  A10=-2.83725e-014  
第4面
K =-5.54985e-001  A 4=-2.77946e-005  A 6= 5.27189e-008  A 8=-1.01452e-009  A10= 2.86908e-012  A12=-4.11559e-015  
第9面
K =-3.04293e+000  A 4= 3.50635e-005  
第25面
K =-8.55389e+000  A 4=-6.88696e-006  A 6=-1.29326e-007  A 8= 2.99310e-009  A10=-1.82976e-011  A12= 3.80322e-014  
各種データ
ズーム比      1.90 
広角     中間     望遠
焦点距離       9.22    14.67    17.50  
Fナンバー      3.45     4.02     4.63  
画角          55.92    42.90    37.92  
像高          13.63    13.63    13.63  
レンズ全長    94.76    85.16    91.16  
BF            13.06    15.35    13.60  
d 8           21.40     4.12     2.43  
d18            0.72     3.87     2.81  
d20            4.08     6.32    16.82  
d25           13.06    15.35    13.60  
ズームレンズ群データ
群  始面    焦点距離  
1    1     -19.96  
2    9      22.57  
3   19     -72.44  
4   21      43.42  
［数値実施例2］
単位 mm
面データ
面番号       r        d      nd         vd
1         34.999    2.10   1.77250    49.6           
2         22.427    7.27                             
3*        48.838    1.80   1.85400    40.4           
4*        10.945    8.97                             
5       -299.505    1.20   1.49700    81.5           
6         18.827    0.33                             
7         19.250    6.00   1.80610    33.3           
8        391.349  (可変)                             
9*        14.902    2.50   1.85135    40.1           
10         58.539    2.38                             
11(絞り)    ∞       2.51                             
12       -171.910    0.80   1.80610    33.3           
13          8.065    3.00   1.59282    68.6           
14        -80.205    0.20                             
15         63.619    1.50   1.48749    70.2           
16        -21.679  (可変)                             
17         84.987    1.01   1.60311    60.6           
18         35.313  (可変)                             
19       -742.321    3.00   1.48749    70.2           
20        -70.847    0.30                             
21        -99.264    1.20   1.80518    25.4           
22       1657.363    4.00   1.55332    71.7           
23*       -21.133  (可変)                             
像面        ∞   
非球面データ
第3面
K = 3.22156e+000  A 4=-1.15092e-005  A 6= 2.28900e-009  
第4面
K =-5.31573e-001  A 4=-3.62301e-005  A 6=-4.22166e-008  A 8=-6.52894e-010  A10= 1.67100e-012  A12=-4.10228e-015  
第9面
K =-2.96389e-001  A 4=-1.18437e-005  
第23面
K =-5.28699e-001  A 4= 4.41358e-005  A 6=-2.20924e-007  A 8= 1.76980e-009  A10=-3.59267e-012  A12=-9.21025e-015  
各種データ
ズーム比      1.90 
広角     中間     望遠
焦点距離       9.22    13.78    17.50  
Fナンバー      3.41     4.03     4.63  
画角          55.92    44.68    37.91  
像高          13.63    13.63    13.63  
レンズ全長    89.75    83.68    86.02  
BF            14.29    15.85    16.07  
d 8           19.98     6.84     2.12  
d16            0.73     3.17     4.00  
d18            4.68     7.75    13.76  
d23           14.29    15.85    16.07  
ズームレンズ群データ
群  始面    焦点距離  
1    1     -19.03  
2    9      21.93  
3   17    -100.94  
4   19      41.13  
［数値実施例3］
単位 mm
面データ
面番号       r        d      nd         vd
1         37.271    2.10   1.77250    49.6           
2         21.903    6.80                             
3*        44.028    1.80   1.80610    40.7           
4*        10.574    8.93                             
5       -142.155    1.20   1.49700    81.5           
6         19.083    0.33                             
7         19.620    6.00   1.80610    33.3           
8        253.506  (可変)                             
9*        14.543    2.50   1.85135    40.1           
10         65.640    2.38                             
11(絞り)    ∞       2.51                             
12       -260.717    0.80   1.80610    33.3           
13          7.765    3.00   1.59282    68.6           
14       -196.362    0.20                             
15         50.064    1.50   1.48749    70.2           
16        -18.968  (可変)                             
17         78.617    1.01   1.60311    60.6           
18         33.578  (可変)                             
19        -69.130    1.20   1.80518    25.4           
20       -265.624    4.00   1.55332    71.7           
21*       -19.443    0.30                             
22        -57.133    2.30   1.69680    55.5           
23        -45.231  (可変)                             
像面        ∞   
非球面データ
第3面
K = 2.35102e+000  A 4=-1.58566e-005  A 6= 3.29848e-009  
第4面
K =-5.56155e-001  A 4=-4.81002e-005  A 6=-5.03501e-008  A 8=-8.23037e-010  A10= 1.77719e-012  A12=-5.03583e-015  
第9面
K =-1.36588e+000  A 4= 2.72102e-005  
第21面
K =-9.29437e-001  A 4= 4.24397e-005  A 6=-9.47681e-008  A 8= 2.00252e-009  A10=-1.58386e-011  A12= 4.79917e-014  
各種データ
ズーム比      1.93 
広角     中間     望遠
焦点距離       9.05    13.80    17.50  
Fナンバー      3.31     3.97     4.63  
画角          56.41    44.64    37.92  
像高          13.63    13.63    13.63  
レンズ全長    87.28    81.88    85.17  
BF            13.60    14.72    13.98  
d 8           18.62     6.31     2.70  
d16            0.63     4.15     4.02  
d18            5.58     7.83    15.61  
d23           13.60    14.72    13.98  
ズームレンズ群データ
群  始面    焦点距離  
1    1     -17.01  
2    9      20.45  
3   17     -98.01  
4   19      45.57  
［数値実施例4］
単位 mm
面データ
面番号       r        d      nd         vd
1*        36.138    2.10   1.77250    49.6           
2*        16.216    6.42                             
3         44.824    1.80   1.83481    42.7           
4         14.107    8.77                             
5       -145.804    1.20   1.49700    81.5           
6         18.004    0.33                             
7         18.089    6.00   1.80610    33.3           
8        110.432  (可変)                             
9*        16.505    2.50   1.85135    40.1           
10        112.363    2.38                             
11(絞り)    ∞       2.51                             
12        710.621    0.80   1.80610    33.3           
13          7.939    3.00   1.59282    68.6           
14       -256.107    0.20                             
15         39.095    1.50   1.48749    70.2           
16        -21.225  (可変)                             
17       -208.408    1.01   1.60311    60.6           
18         35.031  (可変)                             
19        321.728    2.30   1.69680    55.5           
20        -74.152    0.30                             
21       -107.035    1.20   1.80518    25.4           
22        536.307    4.00   1.55332    71.7           
23*       -21.743  (可変)                             
像面        ∞   
非球面データ
第1面
K =-1.55315e-001  A 4=-4.45719e-007  A 6= 2.36421e-009  
第2面
K =-4.85781e-001  A 4=-8.57586e-006  A 6=-1.63780e-008  A 8= 1.02830e-011  A10=-2.31214e-013  A12= 3.58450e-017  
第9面
K =-6.38403e-001  A 4=-2.35589e-006  
第23面
K =-1.92669e+000  A 4= 2.50414e-005  A 6=-4.54234e-007  A 8= 5.48879e-009  A10=-3.02194e-011  A12= 6.33221e-014  
各種データ
ズーム比      1.90 
広角     中間     望遠
焦点距離       9.22    14.46    17.50  
Fナンバー      3.45     4.07     4.63  
画角          55.92    43.31    37.92  
像高          13.63    13.63    13.63  
レンズ全長    89.91    83.13    88.10  
BF            14.39    17.97    17.89  
d 8           19.15     4.75     2.10  
d16            0.80     3.77     4.71  
d18            7.24     8.32    15.07  
d23           14.39    17.97    17.89  
［数値実施例5］
単位 mm
面データ
面番号       r        d      nd         vd
1         38.127    2.10   1.77250    49.6           
2         22.633    6.85                             
3*        42.938    1.80   1.80610    40.7           
4*        10.737    8.92                             
5        645.666    1.20   1.49700    81.5           
6         19.581    0.33                             
7         19.669    6.00   1.80610    33.3           
8        338.400  (可変)                             
9(絞り)    ∞       1.00                             
10*        14.399    2.50   1.85135    40.1           
11         75.359    2.50                             
12         75.790    0.80   1.80610    33.3           
13          7.149    3.00   1.59282    68.6           
14         60.806    0.20                             
15        260.990    1.50   1.48749    70.2           
16        -17.123  (可変)                             
17         48.334    1.01   1.60311    60.6           
18         23.645  (可変)                             
19       -153.617    2.30   1.69680    55.5           
20        -66.497    0.30                             
21       -100.917    1.20   1.80518    25.4           
22         93.931    4.00   1.55332    71.7           
23*       -19.752  (可変)                             
像面        ∞   
非球面データ
第3面
K = 1.46085e+000  A 4=-1.97045e-005  A 6= 1.89775e-008  
第4面
K =-5.51089e-001  A 4=-4.02384e-005  A 6=-1.05185e-007  A 8=-2.91571e-010  A10= 1.44932e-012  A12=-4.04448e-015  
第10面
K =-1.29404e+000  A 4= 2.63753e-005  
第23面
K =-3.42770e+000  A 4= 6.66588e-006  A 6=-1.95765e-007  A 8= 3.59816e-009  A10=-1.85487e-011  A12= 2.78836e-014  
各種データ
ズーム比      1.90 
焦点距離       9.22    13.18    17.50     
Fナンバー      3.63     4.14     4.63       
画角          55.92    45.97    37.92     
像高          13.63    13.63    13.63     
レンズ全長    92.01    84.54    82.03      
BF            13.47    14.54    16.19    
d 8           23.76    10.45     2.10    
d16            0.71     1.20     2.65      
d18            6.56    10.84    13.59      
d23           13.47    14.54    16.19    
ズームレンズ群データ
群  始面    焦点距離  
1    1     -21.38  
2    9      20.94  
3   17     -77.95  
4   19      42.00  
以下に、本発明の好ましい実施の形態を、添付の図面に基づいて詳細に説明する。図１は、本発明の実施形態にかかわる実施例１の断面図である。
【００５０】
［実施例１］
以下、図１を参照して、本発明の第１の実施例の構成について説明する。Ａ）  Ｂ）  Ｃ）はそれぞれ広角端、中間、望遠端を示す。該３ヶ所のズーム位置においては、１、２群は減少し、２、３群間隔は広角端から中間にかけて増大し、中間から望遠端にかけて減少する。２、３群間隔望遠端における空気間隔は広角端よりも大きい。３、４群間隔は増大する。
【００５１】
［実施例２〜５］
以下、図２〜５において実施例２〜５の断面図を示す。実施例３において基本的な間隔変化は実施例１と同様である。実施例２、４、５においては２、３群間隔は広角端から中間にかけて増大し、中間から望遠端にかけて更に若干広がる。実施例２〜５においては実施例１と同様３、４群間隔は増大する。
【００５２】
実施例１〜５においては、第１群が像側に凸軌跡で往復移動する。第２群第３群は物体側へ移動する。前記第４群は微小量物体側へ移動する。第４群は実施例１〜５においては微小量移動しているが、ズーミング中固定としても良い。又フォーカスは第３群を像側へ繰り込む事により行う構成である。
【００５３】
以上、本発明の好ましい実施形態について説明したが、本発明はこれらの実施形態に限定されず、その要旨の範囲内で種々の変形及び変更が可能である。
【００５４】
【表１】
2015034892.tif 000003
【００５５】
本発明はレンズ交換式デジタルスチルカメラ等に好適な小型で超広画角のズームレンズに関し、特に所定の変倍比を確保すると共に、レンズ全長の短縮化を図った携帯性に優れたズームレンズに関するものである。
【符号の説明】
【００５６】
収差図中、ｄはｄ線、ｇはｇ線、△Ｍはメリディオナル像面、ＩＰは像面
【図１】
2015034892.tif 000004
【図２】
2015034892.tif 000005
【図３】
2015034892.tif 000006
【図４】
2015034892.tif 000007
【図５】
2015034892.tif 000008
【図６】
2015034892.tif 000009
【図７】
2015034892.tif 000010
【図８】
2015034892.tif 000011
【図９】
2015034892.tif 000012
【図１０】
2015034892.tif 000013